(57)【特許請求の範囲】
【請求項１】
一端が開口し有底筒状に形成された筺体内にカメラを収納し、前記開口をレンズカバーによって覆い開口の端縁に前記レンズカバーを固定するためのキャップを取り付けた撮像装置において、
前記カメラが実装された基板と、合体することにより前記基板を介して前記カメラを保持する一対のホルダーとを備え、前記ホルダーと前記筺体との間に、前記ホルダーを筺体に弾持させる弾性部材を介在させ、
前記ホルダーの外面に前記筺体の内面に係合する弾性片を設け、この弾性片を介して前記ホルダーを前記筺体に弾持させ、
前記筺体を有底円筒状に形成し、この筺体の筒部の内周面に筺体の軸線方向に延在する位置決め用のガイドリブまたはガイド溝を設け、前記弾性片に前記ガイドリブまたはガイド溝に係合する凹部または凸部を設けたことを特徴とする撮像装置。
【請求項２】
前記各ホルダーに、前記基板の両側部のそれぞれが係入する保持溝を有し当該基板を挟持する断面コ字状の保持部を設けたことを特徴とする請求項１記載の撮像装置。
【発明の詳細な説明】
【技術分野】
【０００１】
本発明は、例えば監視カメラ等のように高所に設置される撮像装置に関するものである。
【背景技術】
【０００２】
この種の撮像装置においては、高所から落下した場合にカメラが破損しないように、カメラを保護するための金属製の補強用の筺体内にカメラを収納している。すなわち、従来の撮像装置としては、一端が開口し有底円筒状に形成された金属製の筺体内に、カメラや電子回路基板あるいはケーブル類を収納し、筺体の開口をレンズカバーによって覆い、開口の端縁にキャップを螺合させることにより、レンズカバーを固定したものがある。
【発明の開示】
【発明が解決しようとする課題】
【０００３】
上述した従来の撮像装置においては、筺体の開口からケーブルや電子回路基板あるいはカメラを順次収納し、個々にねじ止めする構造であるため、組立の作業性が悪いばかりか保守・点検に時間を要し、特にケーブルの配線作業が煩雑であるという問題があった。
【０００４】
本発明は上記した従来の問題に鑑みなされたものであり、その目的とするところは組立の作業性を向上させるとともに、保守・点検を容易にした撮像装置を提供するところにある。
【課題を解決するための手段】
【０００５】
この目的を達成するために、本発明は、一端が開口し有底筒状に形成された筺体内にカメラを収納し、前記開口をレンズカバーによって覆い開口の端縁に前記レンズカバーを固定するためのキャップを取り付けた撮像装置において、前記カメラが実装された基板と、合体することにより前記基板を介して前記カメラを保持する一対のホルダーとを備え、前記ホルダーと前記筺体との間に、ホルダーを筺体に弾持させる弾性部材を介在させ、前記ホルダーの外面に前記筺体の内面に係合する弾性片を設け、この弾性片を介して前記ホルダーを前記筺体に弾持させ、前記筺体を有底円筒状に形成し、この筺体の筒部の内周面に筺体の軸線方向に延在する位置決め用のガイドリブまたはガイド溝を設け、前記弾性片に前記ガイドリブまたはガイド溝に係合する凹部または凸部を設けたものである。
【０００８】
本発明は、前記発明のいずれか一つの発明において、前記各ホルダーに、前記基板の両側部のそれぞれが係入する保持溝を有し当該基板を挟持する断面コ字状の保持部を設けたものである。
【発明の効果】
【０００９】
本発明によれば、従来のようにカメラや電子回路基板を個々に筺体内に組み込むのではなく、ホルダーを介してカメラや電子回路基板をユニット化し、これらを一括して筺体内に組み込むことができるため、組立の作業性を向上させることができるとともに、保守・点検を容易に行える。また、ホルダーと筺体との間に、ホルダーを筺体に弾持させる弾性部材を介在させたため、撮像装置の落下時の衝撃を吸収することができる。また、ホルダーに設けた弾性片によってカメラや電子回路基板を筺体に弾持しているため、撮像装置の落下時の衝撃を吸収するための専用の部材を必要としないから、部品点数の削減および構造の簡素化を図ることができる。さらに、ホルダーを筺体内に収納するとき、ガイド凸条体またはガイド溝を案内としてホルダーを組み付けることができるため、組付けの作業性が向上する。また、ガイド凸条体またはガイド溝に係合溝または凸部を係合させることにより、ホルダーを所定の位置に位置決めした状態で組み付けることができるため、組立の作業時間を短縮することができる。
【００１２】
前記発明のうちの一つの発明によれば、一対のホルダーを合体させることにより、電子回路基板をホルダーに組み付けることができるため、基板組付け用のねじ作業が不要になるから組立の作業性が向上する。また、ホルダーを介して電子回路基板が所定の位置に固定されるため、電子回路基板間に配線されるケーブルが不用意に引っ張られるようなことがないからケーブルの断線を未然に防止することができる。
【発明を実施するための最良の形態】
【００１３】
以下、本発明の実施の形態を図に基づいて説明する。図１は本発明に係る撮像装置を分解して示す斜視図、図２は同じくカメラおよび基板をホルダーに組み込みユニット化した状態を示す斜視図、図３は同じくユニットを筺体内に収納する状態を示す斜視図、図４は図３におけるIV-IV 線断面図、図５は図４におけるV-V 線断面図、図６は図３におけるVI-VI 線断面図である。
【００１４】
図１に全体を符号１で示す撮像装置は、一端が開口され金属によって有底円筒状に形成された筺体２と、後述するカメラ３０および第１ないし第５の電子回路基板２１，２３，２５，２７，２９ならびにこれら電子回路基板間に配線されるケーブル（図示せず）からなるユニット３と、筺体２の開口を覆う円板状に形成されたレンズカバー４と、筺体２の開口端縁に螺合されレンズカバー４を固定するリング状に形成されたキャップ５とによって概ね構成されている。
【００１５】
筺体２の底部の中央部にはアンテナを導出するための導出孔１０が設けられており、開口１１の端縁１２にはねじ部が螺設されている。１３，１３は筺体２の筒部１４の内周面に一体に突設された一対のガイドリブであって、筒部１４の円周方向に互いに１８０°位相をずらした位置に、筺体２の軸線方向（矢印Ａ−Ｂ方向）に延在するように設けられている。
【００１６】
１５Ａ，１５Ｂはプラスチックによって略半円筒状に形成された一対のホルダーであって、両端に設けられ筺体２の筒部１４の内径よりもわずかに小さい外径を有する一対の湾曲部１６，１６と、これら湾曲部１６，１６間に設けられた平坦部１７とによって一体に形成されている。このホルダー１５Ａ，１５Ｂの各湾曲部１６の端部には、図１中上下方向（矢印Ｃ−Ｄ方向）に弾性変形可能な２個対の第１の弾性片１８，１８が設けられており、これら第１の弾性片１８の揺動端部には、後述するようにユニット３が筺体２の筒部１４内に収納されたときに、筒部１４の内周面に係合する凸部１８ａが突設されている。
【００１７】
また、ホルダー１５Ａ，１５Ｂの平坦部１７には、図１中左右方向（矢印Ｅ−Ｆ方向）に弾性変形可能な断面Ｌ字状に形成された２個の第２の弾性片１９，１９が設けられており、これら第２の弾性片１９の揺動端部には、ユニット３が筺体２の筒部１４内に挿入されたときに、筒部１４の内周面に係合する凸部１９ａが突設されている。この凸部１９ａの中央部には、ユニット３が筺体２の筒部１４内に挿入されるときに、上記したガイドリブ１３に係合する係合溝１９ｂが設けられている。
【００１８】
図１および図６において、２０，２０は各ホルダー１５Ａ，１５Ｂの平坦部１７の上下方向（矢印Ｃ−Ｄ方向）において、矢印Ｅ−Ｆ方向に突設された断面コ字状の一対の第１の保持部であって、矢印Ｃ−Ｄ方向において互いに対向し第１の電子回路基板２１の端部を保持する保持溝２０ａ，２０ａが設けられており、これら保持溝２０ａ，２０ａ間の間隔は、第１の電子回路基板２１の矢印Ｃ−Ｄ方向の寸法よりもわずかに大きく形成されている。
【００１９】
２２，２２は各ホルダー１５Ａ，１５Ｂの平坦部１７の前後方向（矢印Ａ−Ｂ方向）において、矢印Ｅ−Ｆ方向に突設された断面コ字状の一対の第２の保持部であって、矢印Ａ−Ｂ方向において互いに対向し第２の電子回路基板２３の端部を保持する保持溝２２ａ，２２ａが設けられており、これら保持溝２２ａ，２２ａ間の間隔は、第２の電子回路基板２３の矢印Ａ−Ｂ方向の寸法よりもわずかに大きく形成されている。
【００２０】
２４，２４は各ホルダー１５Ａ，１５Ｂの平坦部１７の前後方向（矢印Ａ−Ｂ方向）において、矢印Ｅ−Ｆ方向に突設された断面コ字状の一対の第３の保持部であって、矢印Ａ−Ｂ方向において互いに対向し第３の電子回路基板２５の端部を保持する保持溝２４ａ，２４ａが設けられており、これら保持溝２４ａ，２４ａ間の間隔は、第３の電子回路基板２５の矢印Ａ−Ｂ方向の寸法よりもわずかに大きく形成されている。
【００２１】
２６，２６は各ホルダー１５Ａ，１５Ｂの平坦部１７の前後方向（矢印Ａ−Ｂ方向）において、矢印Ｅ−Ｆ方向に突設された断面コ字状の一対の第４の保持部であって、矢印Ａ−Ｂ方向において互いに対向し第４の電子回路基板２７の端部を保持する保持溝２６ａ，２６ａが設けられており、これら保持溝２６ａ，２６ａ間の間隔は、第４の電子回路基板２７の矢印Ａ−Ｂ方向の寸法よりもわずかに大きく形成されている。
【００２２】
２８，２８は各ホルダー１５Ａ，１５Ｂの平坦部１７の前後方向（矢印Ａ−Ｂ方向）において、矢印Ｅ−Ｆ方向に突設された断面コ字状の一対の第５の保持部であって、矢印Ａ−Ｂ方向において互いに対向し第５の電子回路基板２９の端部を保持する保持溝２８ａ，２８ａが設けられており、これら保持溝２８ａ，２８ａ間の間隔は、第５の電子回路基板２９の矢印Ａ−Ｂ方向の寸法よりもわずかに大きく形成されている。
【００２３】
図１および図４において、３０はレンズ３１を有するカメラであって、レンズ３１の周囲にはゴムによってリング状に形成されたレンズホルダー３２を備えており、このカメラ３０は上記した第１の電子回路基板２１に実装されている。３３はカメラ３０を遠隔操作するためのアンテナであって、筺体２のアンテナ導出孔１０から筺体２の外部に導出される。図４に示すように、キャップ５の矢印Ａ方向の端縁には、内フランジ５ａが設けられている。
【００２４】
次に、このように構成された撮像装置の組立方法について説明する。図１において、一方のホルダー１５Ａの第１ないし第５の保持部２０，２２，２４，２６，２８の第１ないし第５の保持溝２０ａ，２２ａ，２４ａ，２６ａ，２８ａに、第１ないし第５の電子回路基板２１，２３，２５，２７，２９の一方の側部を係入し、これら第１ないし第５の電子回路基板２１，２３，２５，２７，２９を一方のホルダー１５Ａに仮組付けする。
【００２５】
次いで、他方のホルダー１５Ｂを矢印Ｅ方向へ移動させて、両ホルダー１５Ａ，１５Ｂの互いの端面を突き合わせ、両ホルダー１５Ａ，１５Ｂを合体させることにより、他方のホルダー１５Ｂの第１ないし第５の保持部２０，２２，２４，２６，２８の第１ないし第５の保持溝２０ａ，２２ａ，２４ａ，２６ａ，２８ａに、第１ないし第５の電子回路基板２１，２３，２５，２７，２９の他方の側部を係入し、カメラ３０および第１ないし第５の電子回路基板２１，２３，２５，２７，２９を両ホルダー１５Ａ，１５Ｂで保持し、図２に示すようにユニット３を形成する。
【００２６】
次いで、第２の弾性片１９，１９の係合溝１９ｂ，１９ｂを筺体２のガイドリブ１３，１３に係合させるようにして、ユニット３を筺体２の開口１１から筺体２内に収納する。このとき、ガイドリブ１３がユニット３を筺体２内へ収納する際のガイドとして機能するだけではなく、図４および図５に示すようにユニット３の筺体２内での周方向の位置決め手段としても機能するため、収納の作業性が向上する。
【００２７】
筺体２内に収納されたユニット３は、第１の弾性片１８の凸部１８ａと第２の弾性片１９の凸部１９ａとが筒部１４の内周面に係合することにより、第１および第２の弾性片１８，１９を介して筒部１４に弾持される。次いで、図４に示すようにキャップ５内にレンズカバー４を取り付けた状態で、キャップ５を筺体２の開口端縁１２に螺合させることにより、レンズカバー４によって筺体２の開口１１を覆う。同時に、レンズカバー４によってカメラ３０のレンズホルダー３２を矢印Ｂ方向に押圧することにより、ユニット３が筺体２の底部とキャップ５とによって挟持されるように保持される。
【００２８】
このように、従来カメラや電子回路基板を個々に筺体内に組み込んでいたのを、ホルダー１５Ａ，１５Ｂを介してカメラ３０や第１ないし第５の電子回路基板２１，２３，２５，２７，２９をユニット３して一括して筺体２内に組み込むことができるため、組立の作業性を向上させることができるとともに保守・点検を容易に行える。また、ホルダー１５Ａ，１５Ｂに設けた弾性片１８，１９によってカメラ３０や第１ないし第５の電子回路基板２１，２３，２５，２７，２９を筺体２に弾持するため、撮像装置１の落下時の衝撃を吸収するための専用の部材を必要としないから、部品点数の削減および構造の簡素化を図ることができる。
【００２９】
また、一対のホルダー１５Ａ，１５Ｂを合体させることにより、第１ないし第５の電子回路基板２１，２３，２５，２７，２９をホルダー１５Ａ，１５Ｂに組み付けることができるため、基板組付け用のねじ作業が不要になるから組立の作業性が向上する。また、ホルダー１５Ａ，１５Ｂを介して第１ないし第５の電子回路基板２１，２３，２５，２７，２９が所定の位置に固定されるため、第１ないし第５の電子回路基板２１，２３，２５，２７，２９間に配線されるケーブルが、不用意に引っ張られるようなことがないからケーブルの断線を未然に防止できる。
【００３０】
なお、本実施の形態においては、筺体２を有底円筒状に形成したが、有底角筒状に形成してもよく、その場合はユニット３の回り止め用として機能するガイドリブ１３を設ける必要はない。また、ガイドリブ１３の替わりにガイド溝を設けてもよく、その場合は弾性片１９の凸部１９ａに係合溝１９ｂの替わりにガイド溝に係合する係合凸部を設けるようにすればよい。また、本実施の形態においては、衝撃吸収手段として、ホルダー１５Ａ，１５Ｂに弾性片１８，１９を一体に形成したが、ホルダー１５Ａ，１５Ｂと筺体２との間に、衝撃吸収シート、金属製のばね、エアーダンパー、液体ダンパー、発泡材、衝撃吸収用ゲル等の弾性部材を介在させるようにしてもよい。
【図面の簡単な説明】
【００３１】
【図１】本発明に係る撮像装置を分解して示す斜視図である。
【図２】本発明に係る撮像装置において、カメラおよび基板をホルダーに組み込みユニット化した状態を示す斜視図である。
【図３】本発明に係る撮像装置において、ユニットを筺体内に収納する状態を示す斜視図である。
【図４】図３におけるIV-IV 線断面図である。
【図５】図４におけるV-V 線断面図である。
【図６】図３におけるVI-VI 線断面図である。
【符号の説明】
【００３２】
１…撮像装置、２…筺体、３…ユニット、４…レンズカバー、５…キャップ、１１…開口、１３…ガイドリブ、１４…筒部、１５Ａ，１５Ｂ…ホルダー、１８…第１の弾性片、１８ａ…凸部、１９…第２の弾性片、１９ａ…凸部、１９ｂ…係合溝、２０，２２，２４，２６，２８…保持部、２０ａ，２２ａ，２４ａ，２６ａ，２８ａ…保持溝、２１，２３，２５，２７，２９…電子回路基板、３０…カメラ、３１…レンズ、３２…レンズカバー。
【図１】
0004992743.tif 000002
【図２】
0004992743.tif 000003
【図３】
0004992743.tif 000004
【図４】
0004992743.tif 000005
【図５】
0004992743.tif 000006
【図６】
0004992743.tif 000007